(57)【要約】【課題】ズームの操作性を向上させる電子機器および撮像方法を提供する。【解決手段】携帯電話機１は、筐体と、筐体内に配置されるカメラ部２３と、カメラ部２３が撮像した画像を表示する表示部２１と、カメラ部２３に撮像された画像のズームを制御する制御部３０と、を備え、制御部３０は、カメラ部２３の撮像方向における筐体の変位を、加速度センサ３１の検出値に基づいて検出し、検出された筐体変位に基づいて撮像された画像のズームを制御する。【選択図】図３
2010008823.tif 000002
【特許請求の範囲】
【請求項１】
筐体と、
前記筐体内に配置される撮像部と、
前記撮像部が撮像した画像を表示する表示部と、
前記撮像部に撮像された画像のズームを制御するズーム制御部と、
前記撮像部の撮像方向における前記筐体の変位を検出する変位検出部と、を備え、
前記ズーム制御部は、前記変位検出部によって検出された前記筐体の変位に基づいて前記撮像された画像のズームを制御することを特徴とする電子機器。
【請求項２】
加速度を検出する加速度センサを備え、
前記変位検出部は、前記加速度センサにより検出された加速度に基づいて、前記筐体の変位を検出することを特徴とする請求項１に記載の電子機器。
【請求項３】
前記変位検出部は、前記撮像部から取得した画像の合焦度合いの変化に基づいて前記筐体の変位を検出することを特徴とする請求項１に記載の電子機器。
【請求項４】
前記ズーム制御部は、前記変位検出部が撮像対象に対して近付く方向の筐体変位を検出したとき、前記撮像された画像をズームアップし、前記変位検出部が撮像対象に対して遠ざかる方向の筐体変位を検出したとき、前記撮像された画像をズームダウンする、ことを特徴とする請求項１から請求項３のいずれか１項に記載の電子機器。
【請求項５】
前記ズーム制御部は、前記変位検出部によって検出された筐体変位の度合いに基づいてズームの度合いを制御することを特徴とする請求項１から請求項４のいずれか１項に記載の電子機器。
【請求項６】
前記筐体の変位とズームの増減量との関係を示すデータを記憶する記憶部を備え、
前記ズーム制御部は、前記変位検出部によって検出された筐体変位に対応したズーム増減量を、前記記憶部に記憶されている前記データから抽出することによって、前記撮像された画像のズームを制御することを特徴とする請求項１から請求項５のいずれか１項に記載の電子機器。
【請求項７】
前記変位検出部によって検出される前記筐体の変位が持続する時間を計測可能なタイマ部を備え、
前記ズーム制御部は、前記タイマ部によって計測される時間が所定の時間より長いとき、前記撮像された画像のズームを制御することを特徴とする請求項１から請求項６のいずれか１項に記載の電子機器。
【請求項８】
前記撮像部から取得した画像の合焦の度合いを判定可能な合焦処理部を備え、
前記ズーム制御部は、前記合焦処理部によって判定された合焦の度合いが所定以上変化した場合に、前記撮像された画像のズームを制御することを特徴とする請求項１から請求項７のいずれか１項に記載の電子機器。
【請求項９】
前記筐体の変位とズームの増減量との関係を示すデータを記憶する記憶部と、
前記ズーム制御部により制御されたズーム度合いを変更する操作入力を受け付け、前記データを変更する変更部と、を備え、
前記ズーム制御部は、前記変位検出部によって検出された筐体変位に対応したズーム増減量を、前記記憶部に記憶されている前記データから抽出することによって、前記撮像された画像のズームを制御することを特徴とする請求項１から請求項８のいずれか１項に記載の電子機器。
【請求項１０】
筐体に設けられる撮像部により撮像した画像を表示する表示部を備えた電子機器における撮像方法であって、
撮像方向における前記筐体の変位を検出し、当該検出された筐体変位に基づいて前記撮像された画像のズームを制御することを特徴とする撮像方法。
【発明の詳細な説明】
【技術分野】
【０００１】
本発明は、撮像部を備えた電子機器および撮像方法に関する。
【背景技術】
【０００２】
従来、携帯電話機は、通話機能に限らず高機能化が進み、撮像部（カメラ部）を有するものが多い（例えば、特許文献１参照）。そして、この撮像部はズーム機能を有し、被写体の画像の大きさを調整して撮像することができる。
【０００３】
また、撮像部の焦点を被写体に合わせるため、合焦度合いを算出し、ＡＦ（Ａｕｔｏ  Ｆｏｃｕｓ：オートフォーカス）機能を搭載する機種も登場している。
【特許文献１】特開２００２−３７４４５０号公報
【発明の開示】
【発明が解決しようとする課題】
【０００４】
ところで、例えば、前述したズーム機能によるズームアップおよびズームダウンを実行する入力は、それぞれ携帯電話機が備えている方向キーの左キーおよび右キー、または上キーおよび下キーに割り当てられている。しかしながら、例えば左という概念とズームアップという概念、および右という概念とズームダウンという概念には関連性が薄い。よって、ユーザは、ズーム機能を使用するためにキーの割り当てを暗記しなければならないので、ユーザにとって操作が難しかった。
【０００５】
このような状況において、ユーザは、被写体が撮像される画像の大きさを調整するため、携帯電話機そのものを被写体に近付けたり遠ざけたりして、簡易的にズームアップおよびズームダウンを行う場合がある。しかしながら、望みのズーム状態とするためには、携帯電話機を大きく動かす必要がある。
【０００６】
本発明は、撮像画像に対するズーム制御が簡便な電子機器および撮像方法を提供することを目的とする。
【課題を解決するための手段】
【０００７】
本発明に係る電子機器は、筐体と、前記筐体内に配置される撮像部と、前記撮像部が撮像した画像を表示する表示部と、前記撮像部に撮像された画像のズームを制御するズーム制御部と、前記撮像部の撮像方向における前記筐体の変位を検出する変位検出部と、を備え、前記ズーム制御部は、前記変位検出部によって検出された前記筐体の変位に基づいて前記撮像された画像のズームを制御することを特徴とする。
【０００８】
また、本発明に係る電子機器は、加速度を検出する加速度センサを備え、前記変位検出部は、前記加速度センサにより検出された加速度に基づいて、前記筐体の変位を検出することが好ましい。
【０００９】
また、前記変位検出部は、前記撮像部から取得した画像の合焦度合いの変化に基づいて前記筐体の変位を検出することが好ましい。
【００１０】
また、前記ズーム制御部は、前記変位検出部が撮像対象に対して近付く方向の筐体変位を検出したとき、前記撮像された画像をズームアップし、前記変位検出部が撮像対象に対して遠ざかる方向の筐体変位を検出したとき、前記撮像された画像をズームダウンする、ことが好ましい。
【００１１】
また、前記ズーム制御部は、前記変位検出部によって検出された筐体変位の度合いに基づいてズームの度合いを制御することが好ましい。
【００１２】
また、本発明に係る電子機器は、前記筐体の変位とズームの増減量との関係を示すデータを記憶する記憶部を備え、前記ズーム制御部は、前記変位検出部によって検出された筐体変位に対応したズーム増減量を、前記記憶部に記憶されている前記データから抽出することによって、前記撮像された画像のズームを制御することが好ましい。
【００１３】
また、本発明に係る電子機器は、前記変位検出部によって検出される前記筐体の変位が持続する時間を計測可能なタイマ部を備え、前記ズーム制御部は、前記タイマ部によって計測される時間が所定の時間より長いとき、前記撮像された画像のズームを制御することが好ましい。
【００１４】
また、本発明に係る電子機器は、前記撮像部から取得した画像の合焦の度合いを判定可能な合焦処理部を備え、前記ズーム制御部は、前記合焦処理部によって判定された合焦の度合いが所定以上変化した場合に、前記撮像された画像のズームを制御することが好ましい。
【００１５】
また、本発明に係る電子機器は、前記筐体の変位とズームの増減量との関係を示すデータを記憶する記憶部と、前記ズーム制御部により制御されたズーム度合いを変更する操作入力を受け付け、前記データを変更する変更部と、を備え、前記ズーム制御部は、前記変位検出部によって検出された筐体変位に対応したズーム増減量を、前記記憶部に記憶されている前記データから抽出することによって、前記撮像された画像のズームを制御することが好ましい。
【００１６】
本発明に係る撮像方法は、筐体に設けられる撮像部により撮像した画像を表示する表示部を備えた電子機器における撮像方法であって、撮像方向における前記筐体の変位を検出し、当該検出された筐体変位に基づいて前記撮像された画像のズームを制御することを特徴とする。
【発明の効果】
【００１７】
本発明によれば、電子機器において、撮像画像に対するズーム制御が簡便になる。
【発明を実施するための最良の形態】
【００１８】
［第１の実施形態］
以下、本発明の第１の実施形態について説明する。なお、電子機器の一例として携帯電話機１を説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）等、撮像装置を備えた様々な電子機器に適用可能である。
【００１９】
図１は、本実施形態に係る携帯電話機１を開いた状態における正面斜視図である。図２は、携帯電話機１を開いた状態における裏面図である。
【００２０】
図１および図２に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能である。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００２１】
操作部側筐体２は、外面がフロントケース２ａとリアケース２ｂとにより構成される。操作部側筐体２は、フロントケース２ａ側に、操作部１１と、携帯電話機１の使用者が通話時に発した音声が入力されるマイク１２とがそれぞれ露出するように構成される。また、図２に示すように、操作部側筐体２は、リアケース２ｂ側にカメラ部２３を構成するレンズ部２３ａと発光部２３ｂとが露出して配置される。
【００２２】
操作部１１は、各種設定や電話帳機能やメール機能等の各種機能を作動させるための機能設定操作キー１３と、電話番号の数字やメールの文字等を入力するための入力操作キー１４と、各種操作における決定や上下左右方向のスクロール等を行う操作部材としての決定操作キー１５とにより構成される。決定操作キー１５は、環状キー１５ａと、円状キー１５ｂとにより構成される。操作部１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。具体的には、携帯電話機１がカメラモードである場合、決定操作キー１５を押圧することで撮像倍率等の調整や撮像指示がなされるよう機能が割り当てられる。すなわち、環状キー１５ａが押圧されることで撮像倍率の調整がなされ、円状キー１５ｂが押圧されることで所定の撮像倍率等での撮像指示がなされるように機能が割り当てられる。
【００２３】
マイク１２は、操作部側筐体２の長手方向における連結部４側と反対の外端部側に配置される。つまり、マイク１２は、携帯電話機１が開状態において一方の外端部側に配置される。
【００２４】
表示部側筐体３は、外面がフロントケース３ａとリアケース３ｂとにより構成される。表示部側筐体３におけるフロントケース３ａには、撮像画像等を含む各種情報を表示するための表示部２１と、通話の相手側の音声を出力するレシーバとしてのスピーカ２２と、が露出するように配置される。
【００２５】
表示部２１は、液晶パネルと、この液晶パネルを駆動する駆動回路と、この液晶パネルの背面側から光を照射するバックライト等の光源部とにより構成される。
【００２６】
表示部２１は、撮像時における被写体の画像を連続的に表示可能に構成される。表示部２１は、撮像素子２０１（図３参照）から順次読み出された電荷信号に基づいて、順次描画処理するＬＣＤ（Ｌｉｑｕｉｄ  Ｃｒｙｓｔａｌ  Ｄｉｓｐｌａｙ）である。撮影者は、表示部２１に表示される被写体の画像を見ながら決定操作キー１５における環状キー１５ａで画像倍率等を調整し、所望の画像倍率等の撮像条件で円状キー１５ｂを押圧することで人物等の被写体を撮像する。ここで、本実施形態では、この環状キー１５ａによる倍率調整に加えて、後述の加速度センサ３１（図３）の検出値に基づいて、倍率調整（ズーム制御）を行う。
【００２７】
なお、本実施形態においては、連結部４により折り畳み可能な携帯電話機１の説明をしているが、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（水平回転）式や、操作部側筐体２と表示部側筐体３とが一つの筐体に配置され連結部を有さない型式（ストレートタイプ）でもよい。
【００２８】
図３は、本実施形態に係る携帯電話機１の機能を示すブロック図である。携帯電話機１は、操作部１１と、表示部２１と、カメラ部２３と、制御部３０と、加速度センサ３１と、メモリ３２と、タイマ３３と、を備える。
【００２９】
表示部２１は、制御部３０の制御に従って、所定の画像処理を行う。そして、処理後の画像データをフレームメモリに蓄え、所定のタイミングで画面出力する。
【００３０】
カメラ部２３は、レンズ部２３ａと、撮像素子２０１と、画像処理部２０２と、を備える。レンズ部２３ａを通して入力された光が撮像素子２０１により電荷信号に変換され、画像処理部２０２により制御部３０へ画像データとして渡される。
【００３１】
制御部３０（ズーム制御部）は、携帯電話機１の全体を制御しており、例えば、表示部２１やカメラ部２３等に対して所定の制御を行う。また、制御部３０は、操作部１１、加速度センサ３１、タイマ３３等から入力を受け付けて、各種処理を実行する。そして、制御部３０は、処理実行の際には、メモリ３２を制御し、各種プログラムおよびデータの読み出しと、データの書き込みを行う。
【００３２】
加速度センサ３１は、フロントケース２ａからリアケース２ｂへ向かう方向の加速度を検出する。加速度センサ３１は、外部から加わった力（Ｆ）と質量（ｍ）に基づいて、加速度（ａ）を測定する（加速度（ａ）＝力（Ｆ）／質量（ｍ））。なお、本実施形態の加速度センサ３１は１軸タイプとしたが、これには限られない。例えば、ゲームやその他のアプリケーションのために設けられた２軸以上の多軸センサを用いてもよい。
【００３３】
また、レンズ部２３ａの一部を構成するボイスコイルモータは、カメラ部２３が揺れると電磁誘導を生じさせるため、このときに生じた電流によって加速度を検出するという構成であってもよい。
【００３４】
また、加速度センサ３１は、例えば、圧電素子によって所定の質量に加わる力を計測して軸ごとの加速度を求め、数値データ化してバッファリングする。そして、制御部３０は、周期的にバッファリングされた加速度データを読み出す。なお、加速度センサ３１は、圧電素子（圧電式）に限らず、ピエゾ抵抗型、静電容量型、熱検知型等によるＭＥＭＳ（Ｍｉｃｒｏ  Ｅｌｅｃｔｒｏ  Ｍｅｃｈａｎｉｃａｌ  Ｓｙｓｔｅｍｓ）式や、可動コイルを動かしてフィードバック電流によってもとに戻すサーボ式や、加速度によって生じる歪を歪ゲージによって測定する歪ゲージ式等により構成されてもよい。
【００３５】
メモリ３２は、例えば、ワーキングメモリを含み、制御部３０による演算処理に利用される。具体的には、例えば、後述する加速度テーブル（図４）等を記憶する。なお、メモリ３２は、着脱可能な外部メモリを兼ねていてもよい。
【００３６】
タイマ３３は、制御部３０からの指令に基づいて、所定の時間を計測して、制御部３０に通知する。これにより、制御部３０は、所定時間が経過しているか否かに応じて、処理の内容を分岐させることができる。
【００３７】
以下、加速度センサ３１と、制御部３０の動作について説明する。加速度センサ３１は、携帯電話機１に加わる加速度の値を定期的に加速度データとして検出している。そして、制御部３０は、これを読み出す。
【００３８】
制御部３０は、検出された加速度データにより、携帯電話機１（筐体）の撮像方向における位置変化（筐体変位）を算出（検出）する。位置変化は、具体的には、撮像方向への正方向の移動であるか逆方向への移動であるかの区別と、加速度の大きさである。なお、位置変化として、加速度の大きさだけでなく、検出された加速度に基づき算出される変位速度、変位時間、変位距離等を用いてもよい。
【００３９】
ここで、移動の開始から終了までの間に加速度は変化し、値の正負も逆転する。そこで、移動初期の加速度を採用することとし、その中の最大値を加速度の大きさとする。なお、算出方法はこれには限られず、所定の算出ルールを設定しておいてもよい。例えば、加速度の正負のうち、持続時間の長い向きを移動の方向と判断してもよい。加速度の大きさは、最大値に限らず、平均値や積算値等であってもよい。
【００４０】
次に、制御部３０は、メモリ３２から、位置変化とズーム量との関係を示すテーブルを読み込む。そして、制御部３０は、読み込んだテーブルのデータに基づいてカメラ部２３を制御し、カメラ部２３によって撮像された画像のズームの度合いを調整する。
【００４１】
図４は、本実施形態に係る位置変化（筐体変位）とズーム量との関係を規定した加速度テーブルを示す図である。ここでは、位置変化として算出された加速度の向きおよび大きさを示す値（加速度レベル）と、ズーム度合いの変化量とが関連付けられる。
【００４２】
制御部３０は、図４の加速度テーブルを参照し、例えば、加速度レベル「３」と算出されている場合には、ズームを「＋５」調整する。これにより、ユーザは、携帯電話機１を前後に動かすことにより、その方向と強さに応じてズームを実行させることができる。
【００４３】
図５は、本実施形態に係る携帯電話機１を、被写体から遠ざけた場合における、カメラ部２３の画角の変化を示す図である。
【００４４】
被写体面４１から被写体面４２へと距離が長くなった場合、カメラ部２３の画角αが変化しないと、撮像範囲は被写体面４２の距離ａの部分となる。そこで、本実施形態によりズームダウンを実行し画角をβに広げると、撮像範囲は被写体面４２の距離ｂの部分となる。
【００４５】
図６は、本実施形態に係る携帯電話機１を、被写体に近付けた場合における、カメラ部２３の画角の変化を示す図である。
【００４６】
図５とは逆に、被写体面４３から被写体面４４へと距離が短くなった場合、カメラ部２３の画角θが変化しないと、撮像範囲は被写体面４４の距離ｃの部分となる。そこで、本実施形態によりズームアップを実行し画角をφに狭めると、撮像範囲は被写体面４４の距離ｄの部分となる。
【００４７】
このように、携帯電話機１を被写体に対して近付けるとズームアップ、遠ざけるとズームダウンが実行されるので、ユーザは自身の感覚に合ったズーム操作を行うことができる。また、少ない移動で大きなズーム効果が得られるので、焦点距離から大きく外れることなく所望の大きさで被写体を撮像することができる。
【００４８】
図７は、本実施形態に係る制御部３０の処理を示すフローチャートである。
【００４９】
ステップＳ１０１では、制御部３０は、ユーザからの操作入力に応じてカメラ部２３の動作を開始する。
【００５０】
ステップＳ１０２では、制御部３０は、加速度センサ３１から加速度値を取得する。加速度値は周期的に取得しているため、制御部３０は、この時点までの所定期間の推移を参照可能である。
【００５１】
ステップＳ１０３では、制御部３０は、ステップＳ１０２にて取得した加速度値が変化したか否かを判定する。制御部３０は、過去からの加速度値の推移を監視し、所定の閾値以上の変化があった場合に変化したと判定する。あるいは、制御部３０は、携帯電話機１が静止している場合には加速度値はゼロ付近であるので、所定以上の値となった場合に変化したと判定してもよい。この判定がＹＥＳの場合はステップＳ１０４に移り、判定がＮＯの場合はステップＳ１１２に移る。
【００５２】
ステップＳ１０４では、制御部３０は、ステップＳ１０３にて判定された加速度ちの変化（筐体変位）が所定時間継続しているか否かを判定する。この判定がＹＥＳの場合は、ユーザが意図的に移動させたと判断してステップＳ１０５に移り、判定がＮＯの場合は、手振れ等によるユーザが意図しない移動であると判断してステップＳ１１２に移る。
【００５３】
ステップＳ１０５では、制御部３０は、携帯電話機１が被写体から遠ざかったか否かを判定する。すなわち、制御部３０は、筐体変位としての加速度の向きが、被写体に向かって逆方向である場合に遠ざかったと判定する。この判定がＹＥＳの場合はステップＳ１０９に移り、判定がＮＯの場合はステップＳ１０６に移る。
【００５４】
ステップＳ１０６では、制御部３０は、取得した加速度のレベルに応じて、加速度テーブル（図４）からズームの増加量を取得する。
【００５５】
ステップＳ１０７では、制御部３０は、現在のズームの度合いが、ズーム調整が可能な範囲の限界であるか否かを判定する。この判定がＹＥＳの場合はステップＳ１１２に移り、判定がＮＯの場合はステップＳ１０８に移る。
【００５６】
ステップＳ１０８では、制御部３０は、ステップＳ１０６にて取得したズーム増加量に応じて、カメラ部２３を制御し、ズーム段階を上げる。
【００５７】
ステップＳ１０９では、制御部３０は、取得した加速度のレベルに応じて、加速度テーブル（図４）からズームの減少量を取得する。
【００５８】
ステップＳ１１０では、制御部３０は、現在のズームの度合いが、ズーム調整が可能な範囲の限界であるか否かを判定する。この判定がＹＥＳの場合はステップＳ１１２に移り、判定がＮＯの場合はステップＳ１１１に移る。
【００５９】
ステップＳ１１１では、制御部３０は、ステップＳ１０９にて取得したズーム減少量に応じて、カメラ部２３を制御し、ズーム段階を下げる。
【００６０】
ステップＳ１１２では、制御部３０は、撮像の操作が行われたか否かを判定する。具体的には、制御部３０は、円状キー１５ｂ（図１）等の押下を検出した場合に、撮像の操作が行われたと判定する。この判定がＹＥＳの場合はステップＳ１１５に移り、判定がＮＯの場合はステップＳ１１３に移る。
【００６１】
ステップＳ１１３では、制御部３０は、ステップＳ１１２にて撮像操作の実行が判定されないまま、所定時間が経過（タイムアウト）したか否かを判定する。この判定がＹＥＳの場合はステップＳ１１６に移り、判定がＮＯの場合はステップＳ１１４に移る。
【００６２】
ステップＳ１１４では、制御部３０は、カメラ機能の終了操作が行われたか否かを判定する。具体的には、制御部３０は、例えば、機能設定操作キー１３（図１）のうち終了ボタン等の押下を検出した場合に、カメラ機能の終了操作が行われたと判定する。この判定がＹＥＳの場合はステップＳ１１６に移り、判定がＮＯの場合はステップＳ１０２に戻り、ズーム処理を繰り返す。
【００６３】
ステップＳ１１６では、制御部３０は、カメラ部２３の動作を終了させ、処理を終了する。
【００６４】
本実施形態によれば、携帯電話機１は、操作部１１によるズーム設定を受け付けることなく、被写体に近付けられたか遠ざけられたかを検知することによってズーム制御を行う。被写体に近づけたら拡大し被写体から遠ざけたら縮小という操作は、ユーザにとって感覚的に分かり易いので、ユーザは、直感的な動作により簡単にズームアップまたはズームダウンを行うことができる。
【００６５】
また、本実施形態では、携帯電話機１の位置変化を算出するために加速度センサ３１の検出値を用いる。従来の携帯電話機においても、加速度センサはゲームや他の機能に使用する目的で既に搭載されている場合が多いので、この加速度センサを利用することにより、新たに部品を追加することなく実現することができる。
【００６６】
また、本実施形態では、加速度とズーム量との関係を予めテーブルに記憶させた。これにより、複雑な計算を行うことなくズーム量を即座に決定することができる。更に、加速度に基づき検出される位置変化（筐体変位）が大きいほどズームの度合いを大きくすることにより、ズーム量の調整が容易になり、更に、直感的な操作が可能となる。
【００６７】
また、本実施形態では、所定時間内の加速度変化の検出は、手振れであると判断してズーム調整を行わない。したがって、ユーザが意図せずにズーム処理が実行されることを抑制できる。
【００６８】
［第２の実施形態］
以下、本発明の第２の実施形態について説明する。第２の実施形態では、第１の実施形態に加えて、合焦度合いの判定機能が追加される。
【００６９】
図８は、本実施形態に係る携帯電話機１の機能を示すブロック図である。カメラ部２３は、第１の実施形態（図３）に加えて、合焦処理部２０３を更に備える。なお、第１の実施形態における加速度センサ３１は使用しない。
【００７０】
合焦処理部２０３は、画像データの所定の領域を切り出し、微分成分を積算することにより、合焦度合いを示す合焦評価値を算出する。第１の実施形態では、制御部３０は、検出された加速度レベルに基づいてズーム制御を行ったが、第２の実施形態では、合焦処理部２０３により算出された合焦評価値に基づいて携帯電話機１の位置変化（筐体変位）を検出し、この位置変化に基づき、撮像された画像のズーム制御を行う。
【００７１】
図９は、本実施形態に係る制御部３０の処理を示すフローチャートである。第１の実施形態（図７）におけるステップＳ１０２〜Ｓ１０４がステップＳ２０２〜Ｓ２０３に、ステップＳ１０６がステップＳ２０６に、ステップＳ１０９がステップＳ２０９に変更されており、その他のステップは、第１の実施形態と同様である。
【００７２】
ステップＳ２０２では、制御部３０は、合焦処理部２０３から、合焦の度合いを示す合焦評価値を取得する。ここで、合焦評価値は周期的に取得するため、制御部３０は、この時点までの所定期間の推移を参照可能である。
【００７３】
ステップＳ２０３では、制御部３０は、ステップＳ２０２にて取得した合焦評価値が変化したか否かを判定する。制御部３０は、過去からの合焦評価値の推移を監視し、所定の閾値以上の変化があった場合に変化したと判定する。あるいは、制御部３０は、合焦評価値が大きくピントが合っている場合には、携帯電話機１の移動により合焦評価値は小さくなるので、合焦評価値が所定値より小さくなった場合に変化したと判定してもよい。このとき、制御部３０は、合焦距離に応じて、所定値を調整することが好ましい。この判定がＹＥＳの場合はステップＳ２０５に移り、判定がＮＯの場合はステップＳ２１２に移る。
【００７４】
ステップＳ２０６またはステップＳ２０９では、制御部３０は、加速度テーブル（図４）と同様に、合焦評価値の変化とズーム度合いの増減量とを関連付けたテーブル（図示せず）から、ズームの増加量またはズームの減少量を取得する。なお、合焦評価値の変化とズーム増減量との関連付けは、合焦距離によって変化させることが好ましい。また、制御部３０は、合焦距離に応じて、所定の計算ルールによってズーム増減量を算出してもよい。
【００７５】
本実施形態では、携帯電話機１の位置変化を算出する手段として、合焦処理部２０３を設けた。このことにより、加速度センサ３１等の構成部品を追加することなく、画像の合焦度合いを利用することによって位置変化を算出できるので、ユーザは、直感的な動作により簡単にズームアップまたはズームダウンを行うことができる。
【００７６】
また、本実施形態では、合焦評価値が所定以上の変化をした場合にズーム処理をおこなった。したがって、手振れ等に起因する合焦度合いの小さな変化によって意図しないズーム動作が発生することを抑制できる。
【００７７】
なお、本実施形態では、合焦評価値の変化量が所定以上である場合にズーム処理を行ったが、更に、合焦評価値が減少する場合にズーム処理を行うこととしてもよい。合焦評価値が大きくなる場合は、ユーザがピントを合わせるために携帯電話機１を動かしていると判断できるので、この処理により、ユーザが意図しないズーム処理を抑制できる可能性がある。
【００７８】
［第３の実施形態］
以下、本発明の第３の実施形態について説明する。第１の実施形態において、制御部３０は、予め加速度テーブル（図４）を記憶し、記憶されたズーム増減量に基づいてズーム制御を行った。一方、第３の実施形態では、制御部３０は、この加速度テーブルに記憶されるデータを補正する機能を更に備える。
【００７９】
図１０は、本実施形態に係る加速度テーブルが補正される様子を示す図である。まず、携帯電話機１が加速度レベル「３」で動かされた場合、制御部３０は、補正前のテーブルＡに基づいて、ズーム段階を「５」増加させる。
【００８０】
続いて、所定の時間以内に、操作部１１からの操作入力によりズーム段階が更に「＋２」変更された場合、制御部３０は、加速度レベル「３」に対応するズーム増加量を「５」から「７」に補正し、補正後のテーブルＢを記憶する。
【００８１】
図１１は、本実施形態に係る制御部３０の処理を示すフローチャートである。ここでは、加速度変化に応じてズーム度合いを調整した後の処理を示す。
【００８２】
ステップＳ３０１では、制御部３０は、操作部１１からズーム度合いの変更入力を受け付けたか否かを判定する。この判定がＹＥＳの場合はステップＳ３０２に移り、判定がＮＯの場合はステップＳ３０３に移る。
【００８３】
ステップＳ３０２では、制御部３０は、ステップＳ３０１にて受け付けたズーム度合いの変更入力に基づいて、加速度テーブルのデータを更新する。
【００８４】
ステップＳ３０３では、制御部３０は、ステップＳ３０１にてズーム度合いの変更入力を受け付けないまま所定時間が経過したか否かを判定する。この判定がＹＥＳの場合は処理を終了し、判定がＮＯの場合は、ステップＳ３０１に戻り、入力の受け付けを継続する。
【００８５】
本実施形態によれば、ユーザの操作入力により、ズーム制御の制御量を変更することができる。したがって、ユーザそれぞれにとって親和性の高いズーム機能を提供することができる。
【００８６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００８７】
例えば、位置変化を検出する手段として、携帯電話機１の撮像方向への移動により生じる撮像画像データの遷移（拡大、縮小等）や、超音波等による距離計測結果により、携帯電話機１の位置変化を検出してもよく、携帯電話機１の撮像方向への位置変化（筐体変位）を検出する構成であればよい。
【００８８】
また、前述した合焦の度合いによるズーム制御と、加速度センサによるズーム制御は、両方とも用いられてもよい。このようにすることによって、より高精度なズーム制御を行うことが可能となる。
【００８９】
また、接写用に焦点距離を短くするマクロモードを備えている場合は、このマクロモードに設定されているときに上述のズーム処理を行うこととしてもよい。マクロモードでは、ピントを合わせられる距離が限られているので、携帯電話機１を大きく動かすことができない。そこで、上述のズーム処理により、僅かな移動量で所望のズーム設定を実現することができるので好適である。
【００９０】
また、ＡＦ機能を備えている場合には、ＡＦ機能により合焦が成功した後に上述のズーム処理を行うこととしてもよい。合焦が成功した後の携帯電話機１の位置変化は、ズーム設定を調整するためである場合が多いため、この条件を付加することにより、ユーザが意図するタイミングでズーム処理を実行できる可能性がある。なお、上述のズーム処理は、ＡＦ機能により合焦が成功した後、所定時間が経過するまでとしてもよい。
【００９１】
なお、本発明に係るズーム処理は、ＱＲコード（登録商標）等の２次元コードの読み取りに用いるのが好適である。すなわち、２次元コードを撮像した際の画像の大きさや合焦度合いが、読み取りの精度に大きく影響を及ぼすため、携帯電話機１を大きく移動させることなく簡便にズーム制御を実行できることで、読み取りを容易にできる可能性がある。
【００９２】
また、上述の実施形態におけるカメラ部２３のズーム機能は、画像処理によるデジタルズームには限られず、レンズ部２３ａを変位させることによる光学ズームであってもよい。
【図面の簡単な説明】
【００９３】
【図１】第１の実施形態に係る携帯電話機１を開いた状態における正面斜視図である。
【図２】第１の実施形態に係る携帯電話機１を開いた状態における裏面図である。
【図３】第１の実施形態に係る携帯電話機１の機能を示すブロック図である。
【図４】第１の実施形態に係る加速度テーブルを示す図である。
【図５】第１の実施形態に係る携帯電話機１を、被写体から遠ざけた場合における、カメラ部２３の画角の変化を示す図である。
【図６】第１の実施形態に係る携帯電話機１を、被写体に近付けた場合における、カメラ部２３の画角の変化を示す図である。
【図７】第１の実施形態に係る制御部３０の処理を示すフローチャートである。
【図８】第２の実施形態に係る携帯電話機１の機能を示すブロック図である。
【図９】第２の実施形態に係る制御部３０の処理を示すフローチャートである。
【図１０】第３の実施形態に係る加速度テーブルが補正される様子を示す図である。
【図１１】本発明の実施形態に係る制御部３０の処理を示すフローチャートである。
【符号の説明】
【００９４】
１  携帯電話機（電子機器）
２  操作部側筐体（筐体）
３  表示部側筐体（筐体）
１１  操作部
２１  表示部
２３  カメラ部（撮像部）
２３ａ  レンズ部
３０  制御部（ズーム制御部、変位検出部、変更部）
３１  加速度センサ
３２  メモリ（記憶部）
３３  タイマ（タイマ部）
２０１  撮像素子
２０２  画像処理部
２０３  合焦処理部
【図１】
2010008823.tif 000003
【図２】
2010008823.tif 000004
【図３】
2010008823.tif 000005
【図４】
2010008823.tif 000006
【図５】
2010008823.tif 000007
【図６】
2010008823.tif 000008
【図７】
2010008823.tif 000009
【図８】
2010008823.tif 000010
【図９】
2010008823.tif 000011
【図１０】
2010008823.tif 000012
【図１１】
2010008823.tif 000013